(57)【要約】      （修正有）【課題】冷凍庫等の冷却装置に取り付けられるユニットクーラであって、ダンパケースに設置されたダンパヒータ又はファンガードに設置されたファンガードヒータの電力を確保する工事の作業を削減することが可能なユニットクーラを提供する。【解決手段】ユニットクーラ１は、ファンガードとダンパケース１０とが選択的に筐体２に取り付けられるようになっており、ダンパケースに設置されたダンパヒータ４の配線接続構造とファンガードに設置されたファンガードヒータ６の配線接続構造とを同じにしている。【選択図】図２
2014238242.tif 000002
【特許請求の範囲】
【請求項１】
蒸発器及びこの蒸発器に通風させるファンを収容するとともに、前記ファンに対応した吹出口が形成されたファンカバーを備えた筐体に、
前記吹出口の前方を覆うように前記ファンカバーに着脱自在に取り付けられるファンガード、及び、前記ファンガードに設置されたファンガードヒータ、
又は、
前記吹出口の前方を覆うように前記ファンカバーに着脱自在に取り付けられるダンパケース、前記ダンパケースに設置され、前記ダンパケースに形成されているダンパケース吹出口を開閉するダンパ、及び、前記ダンパケースに設置されたダンパヒータが、選択的に取り付けられるようになっているユニットクーラであって、
前記ダンパヒータの配線接続構造と前記ファンガードヒータの配線接続構造とを同じにしている
ユニットクーラ。
【請求項２】
前記ファンガードヒータは、
ファンガードヒータ加熱部、及び、前記ファンガードヒータ加熱部に電力を供給するファンガードヒータ配線部を有し、前記ファンガードヒータ配線部を前記ファンガードの下方に位置させ、
前記ダンパヒータは、
ダンパヒータ加熱部、及び、前記ダンパヒータ加熱部に電力を供給するダンパヒータ配線部を有し、前記ダンパヒータ配線部を前記ダンパケースの下方に位置させる
請求項１に記載のユニットクーラ。
【請求項３】
前記ファンカバーの下方に、前記ファンガードヒータ配線部又は前記ダンパヒータ配線部が挿通する配線穴を形成している
請求項２に記載のユニットクーラ。
【請求項４】
前記ファンガードヒータ配線部の先端にファンガードヒータコネクタ部を取り付け、
前記ファンガードが前記筐体に取り付けられた状態において、
前記ファンカバーの前記ファンガードヒータコネクタ部よりも下方となる位置に排水穴を形成している
請求項２又は３に記載のユニットクーラ。
【請求項５】
前記蒸発器が収容された請求項１〜４のいずれか一項に記載のユニットクーラと、
圧縮機、凝縮器、及び、膨張機構が収容された熱源側ユニットと、を備え、
前記圧縮機、前記凝縮器、前記膨張機構、前記蒸発器を配管接続させて冷凍サイクルを形成している
冷却装置。
【発明の詳細な説明】
【技術分野】
【０００１】
本発明は、ヒータの取り付けを改善したユニットクーラ及びこのユニットクーラを備えた冷却装置に関するものである。
【背景技術】
【０００２】
従来から、冷凍庫等の冷却装置に取り付けられ、冷却装置の庫内の空気を冷却するためのユニットクーラが存在している。このようなユニットクーラの中には、従来よりユニットクーラのデフロスト時の庫内温度上昇を抑制するため、ユニットクーラの吹き出し部にユニットクーラ用ダンパ（以下、単に「ダンパ」と称する場合がある）を取り付けるようにしたものがあった。このようなものでは、ユニットクーラの吹き出し部にダンパを取り付けることで、ユニットクーラ内の暖気を庫内へ流出することを抑えるようにしていた。
【０００３】
そのようなものとして、「冷凍冷蔵装置に取り付けられ、該装置内の空気を吸込口から吸い込み、冷却器で冷却し、吹出口から吹き出す冷凍冷蔵装置用ユニットクーラーに備えられ、冷却運転時に開いて冷気の流れを許容し、除霜時に閉じて暖気の流出を阻止するダンパーであって、前記吹出口を横切るように固定された軸の回りに回転する風圧式シャッターと、該軸内に設けられたヒーターとを備えるユニットクーラー用ダンパー」が提案されている（例えば、特許文献１参照）。
【０００４】
また、「冷却貯蔵庫の庫内上部に取り付けられるとともに、庫内の空気を吸込口から吸い込み、冷却器で冷却した後に、前面の吹出口から吹き出している冷却貯蔵庫用ユニットクーラーにおいて、前記吸込口付近または吹出口付近に設けられ、冷却運転時には開となって空気の流れを許容し、霜取時には閉となって空気の流れを阻止するダンパーと、前記吹出口の下端部付近から前上がりに傾斜して、前方に突出している空気案内板とを備えている冷却貯蔵庫用ユニットクーラー」が提案されている（例えば、特許文献２参照）。
【先行技術文献】
【特許文献】
【０００５】
【特許文献１】特開２０１０−２６１６６１号公報（図１〜図３など参照）
【特許文献２】特開平１１−２５７８２６号公報（図１など参照）
【発明の概要】
【発明が解決しようとする課題】
【０００６】
ダンパをユニットクーラに取り付ける作業を、ユニットクーラの施工時に実施する場合や、ユニットクーラの設置後に実施する場合がある。また、特許文献１に記載の従来のダンパ構造には、ダンパに付着した霜を融かすためにダンパヒータが設けられている。さらに、特許文献２に記載の従来のダンパ構造には、ダンパヒータに関する内容が記載されていないものの、ダンパに付着した霜を融かすために特許文献１と同様にダンパヒータを設けることが想定される。したがって、ダンパをユニットクーラに取り付ける際、特許文献１、２に記載されているような従来のダンパ構造では、ダンパ内に設置しているヒータの電力を確保する必要がある。
【０００７】
そのため、特許文献１、２に記載されているような従来のダンパ構造では、ダンパヒータの電力を確保するため、ダンパヒータ用の端子台の設置、配線接続の工事が必要になるという問題があった。また、特許文献１、２に記載されているような従来のダンパ構造では、ダンパヒータの配線がダンパ上部にあり、ユニットクーラの外装面に配線を固定し、端子台まで接続を行う必要があり、配線作業が煩雑なものになってしまうという問題もあった。
【０００８】
本発明は、上記のような課題を解決するためになされたもので、ダンパヒータ又はファンガードヒータの電力を確保する工事の作業を削減することが可能なユニットクーラ及び冷却装置を提供することを第１の目的としている。
【０００９】
また、本発明は、ダンパケース又はファンガードを取り付ける際に、ユニットクーラを天井に吊った状態にて取り付けを行え、配線作業を簡単に行うことができるようにしたユニットクーラ及び冷却装置を提供することを第２の目的としている。
【課題を解決するための手段】
【００１０】
本発明に係るユニットクーラは、蒸発器及びこの蒸発器に通風させるファンを収容するとともに、前記ファンに対応した吹出口が形成されたファンカバーを備えた筐体に、前記吹出口の前方を覆うように前記ファンカバーに着脱自在に取り付けられるファンガード、及び、前記ファンガードに設置されたファンガードヒータ、又は、前記吹出口の前方を覆うように前記ファンカバーに着脱自在に取り付けられるダンパケース、前記ダンパケースに設置され、前記ダンパケースに形成されているダンパケース吹出口を開閉するダンパ、及び、前記ダンパケースに設置されたダンパヒータが、選択的に取り付けられるようになっているユニットクーラであって、前記ダンパヒータの配線接続構造と前記ファンガードヒータの配線接続構造とを同じにしているものである。
【００１１】
本発明に係る冷却装置は、蒸発器が収容された上記のユニットクーラと、圧縮機、凝縮器、及び、膨張機構が収容された熱源側ユニットと、を備え、前記圧縮機、前記凝縮器、前記膨張機構、前記蒸発器を配管接続させて冷凍サイクルを形成しているものである。
【発明の効果】
【００１２】
本発明に係るユニットクーラは、ダンパケース及びダンパヒータを、ファンガード及びファンガードヒータと同じ接続方法にて筐体に取り付けることができる。したがって、本発明に係るユニットクーラによれば、ダンパヒータ、ファンガードヒータの電力を確保するためにそれぞれに応じた工事が不要になり、ダンパヒータ又はファンガードヒータの電力を確保する工事の作業を大幅に削減することが可能になる。
【００１３】
本発明に係る冷却装置によれば、上記のユニットクーラを搭載しているので、ダンパケース又はファンガードを筐体に設置する時に、ダンパヒータ又はファンガードヒータの電力を確保する工事の作業を大幅に削減することが可能になる。
【図面の簡単な説明】
【００１４】
【図１】本発明の実施の形態１に係るユニットクーラを斜め上方から見た状態の一例を示す外観斜視図である。
【図２】本発明の実施の形態１に係るユニットクーラを側面から見た断面構成の一例を示す側面断面図である。
【図３】本発明の実施の形態１に係るユニットクーラのダンパを側面から見た断面構成の一例を示す側面断面図である。
【図４】本発明の実施の形態１に係るユニットクーラからダンパを取り外した状態の一例を示す側面図である。
【図５】本発明の実施の形態１に係るユニットクーラのファンガードを側面から見た断面構成の一例を示す側面断面図である。
【図６】本発明の実施の形態１に係るユニットクーラのコネクタ接続部を拡大して示す拡大図である。
【図７】本発明の実施の形態２に係るユニットクーラのコネクタ接続部を拡大して示す拡大図である。
【図８】本発明の実施の形態３に係る冷却装置の冷媒回路構成を示す概略構成図である。
【発明を実施するための形態】
【００１５】
以下、図面に基づいてこの発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１６】
実施の形態１．
図１は、本発明の実施の形態１に係るユニットクーラ１を斜め上方から見た状態の一例を示す外観斜視図である。図２は、ユニットクーラ１を側面から見た断面構成の一例を示す側面断面図である。図３は、ユニットクーラ１のダンパ３を側面から見た断面構成の一例を示す側面断面図である。図４は、ユニットクーラ１からダンパ３を取り外した状態の一例を示す側面図である。図５は、ユニットクーラ１のファンガード５を側面から見た断面構成の一例を示す側面断面図である。図６は、ユニットクーラ１のコネクタ接続部を拡大して示す拡大図である。図１〜図６に基づいて、ユニットクーラ１の構成及び動作について説明する。
【００１７】
ユニットクーラ１は、冷却装置の一部を構成し、たとえば冷凍庫や冷蔵庫内等に設置され、庫内を冷却するものである。また、ユニットクーラ１は、後述するファンガード５とダンパケース１０とが選択的に筐体２に取り付けられるようになっている。さらに、冷却装置は、図示省略の熱源側ユニットと、ユニットクーラ１と、が冷媒配管で配管接続されて構成される。なお、冷却装置については、実施の形態３で詳細に説明する。
【００１８】
［ユニットクーラ１の構成］
まず、ユニットクーラ１の構成について説明する。ユニットクーラ１は、筐体２と、蒸発器（ここでは図示省略）と、ファン（ここでは図示省略）と、ダンパケース１０と、を有している。筐体２は、ユニットクーラ１の外郭の大部分を構成するものであり、吸込口２ａ及び吹出口２ｂが開口形成されている。蒸発器は、筐体２内に収容され、外部の圧縮機や膨張弁、凝縮器等（いずれも図８に図示）とともに冷凍サイクルを形成するものである。
【００１９】
ファンは、筐体２内に収容され、吸込口２ａを介して筐体２内に空気を吸い込み、蒸発器を経由させた空気を吹出口２ｂを介して冷却対象空間に供給するものである。ダンパケース１０は、筐体２とともにユニットクーラ１の外郭を構成するものであり、筐体２の吹出口２ｂに取り付けられる。
【００２０】
筐体２は、前面、後面及び底面を開口した箱状に形成されている。筐体２の前面（空気吹出側の面）の開口には、筐体２の前面壁を構成するファンカバー９が設けられている。このファンカバー９に吹出口２ｂが開口形成されている。また、ファンカバー９の下方には、後述するダンパヒータ側配線４ｃ、又は、ファンガードヒータ側配線６ｃが挿通可能な配線穴が形成されている（図３に示す配線穴９ｂ）。さらに、筐体２の上部には複数（図１では４つ）の吊り下げ具１３が設けられている。筐体２は、通常、これらの吊り下げ具１３を用いて、冷却対象空間の天井面に接するように設置される。このとき、筐体２は、その後面が、冷却対象空間の側壁面に所定の間隔をおいて対向するような状態に設置される。
【００２１】
筐体２の後面に形成されている開口は、庫内空気（被冷却空気）の吸込口２ａとなっている。そして、蒸発器は、筐体２内において、吸込口２ａに臨ませるように配置されている。また、例えばプロペラ形の送風羽根を有するファンは、背面側を蒸発器に向けた状態で筐体２に設置されている。ファンカバー９のファンの前面側の対向位置には、円形に開口する吹出口２ｂが形成されている。なお、図１では、２個のダンパケース１０が筐体２に設置されている場合を例に図示しているが、ダンパケース１０の個数を特に限定するものではなく、筐体２に収容するファンの個数に応じて１個でも、３個以上でもよい。
【００２２】
ダンパケース１０は、ダンパケース吸込口１０ａ及びダンパケース吹出口１０ｂが開口形成されており、ダンパケース吸込口１０ａと吸込口２ａとが対面するように筐体２の吹出口２ｂに取り付けられることで、筐体２の内部と連通する。また、ダンパケース１０は、ダンパケース吹出口１０ｂを介して外部と連通する。ダンパケース吹出口１０ｂは、下端部が上端部よりも突出するダンパケース１０の傾斜面１０ｃに形成されている。
【００２３】
また、ダンパケース１０には、ダンパケース吹出口１０ｂを開閉するダンパ３が設けられている。ダンパ３は、冷却運転時にダンパケース吹出口１０ｂを開放するように制御され、霜取時にダンパケース吹出口１０ｂを閉塞するように制御されるようになっている。具体的には、ダンパ３は、図示省略の制御装置によって駆動が制御され、ファンの稼働時にダンパケース吹出口１０ｂを開放し、ファンの停止時にダンパケース吹出口１０ｂを閉塞する。ダンパ３によってダンパケース吹出口１０ｂが開放されると、ダンパケース１０を介して筐体２と外気とが連通し、空気の流れが形成される（図２に示す白抜き矢印参照）。一方、ダンパ３によってダンパケース吹出口１０ｂが閉塞されると、筐体２と外気との連通が遮断され、空気の流れが阻止される。
【００２４】
なお、ダンパ３の構成について特に限定するものではなく、ダンパケース吹出口１０ｂが開閉可能になっていればよい。例えば、ダンパ３にシャッター機構を備え、シャッターの巻き取り動作によってダンパケース吹出口１０ｂを開閉してもよい。また、例えば、ダンパ３に扇形又は扇型に切り欠いた円盤状の板状部材を備え、板状部材の回転動作によってダンパケース吹出口１０ｂを開閉してもよい。
【００２５】
また、ダンパケース１０には、ダンパヒータ４が着脱自在に取り付けられている。ダンパヒータ４は、ダンパ３に付着した霜を融かすために設けられている。ダンパヒータ４は、ダンパヒータ加熱部４ａ及びダンパヒータ配線部４ｂを有している。具体的には、図２及び図３に示すように、ダンパヒータ加熱部４ａの大部分が、ダンパケース１０のダンパケース吹出口１０ｂが形成されている面に沿って設けられ、ダンパヒータ加熱部４ａの一部が、ダンパケース１０の内部に延びるように設けられている。ダンパヒータ配線部４ｂは、ダンパケース１０の内部に延びるように設けられているダンパヒータ加熱部４ａの端部に接続されているダンパヒータ側配線４ｃと、ダンパヒータ側配線４ｃの端部に取り付けられているダンパヒータコネクタ部４ｄと、を有している。
【００２６】
なお、ダンパヒータ４の構成や形状、大きさなどを特に限定するものではなく、ダンパケース１０に設置することができ、ダンパ３に付着した霜を融かすことができるようなものであればよい。
【００２７】
また、図２及び図３に示すように、ダンパヒータ配線部４ｂは、ダンパケース１０の下部に設けられる構成としている。具体的には、ファンカバー９の下方に配線穴９ｂを形成し、この配線穴９ｂにダンパヒータ側配線４ｃを挿通させ、ダンパヒータ配線部４ｂを、ファンガード５の筐体２側の下方に設けるようにしている。そのため、ダンパヒータ加熱部４ａのダンパヒータ側配線４ｃに接続される端部が、ダンパケース１０の内部で筐体２側の下方に向かって延びるようになっている。図６に示すように、ダンパヒータコネクタ部４ｄには接続配線７の接続配線コネクタ７ａが接続され、接続配線７を介してダンパヒータ４に電力が供給されるようになっている。
【００２８】
なお、筐体２の下方には、ドレンパン８が設けられている。このドレンパン８は、筐体２の底面開口を覆って、蒸発器で生じた凝縮水を受け止めるようになっている。ドレンパン８で受け止められた凝縮水は、ドレンパン８に形成されている接続口１４に接続される排水ホース（図示せず）を通じて、筐体２の外部へ排出される。なお、ドレンパン８は、筐体２の内部の清掃のために着脱自在となっている。
【００２９】
次に、図４及び図５に基づいて、ファンガード５について説明する。
ユニットクーラ１にダンパケース１０を取り付けない場合、一般的に、ユニットクーラ１のダンパケース１０を設置する部分にはファンガード５を取り付けるようになっている。具体的には、筐体２を構成するファンカバー９の吹出口２ｂの前方を覆うようにファンガード５が着脱自在に取り付けられている。ファンガード５は、筐体２内への作業者の指等の進入を阻止するものである。ファンガード５は、金属等からなる複数の線材を縦横に組み合わせて、立体的な容器状に形成されている。ファンガード５の容器状に形成されている部分の内部には、ファンガードヒータ６が着脱自在に取り付けられている。
【００３０】
ファンガードヒータ６は、ファンガード５に付着した霜を融かすために設けられている。ファンガードヒータ６は、ファンガードヒータ加熱部６ａ及びファンガードヒータ配線部６ｂを有している。具体的には、図４及び図５に示すように、ファンガードヒータ加熱部６ａは、ファンガード５の容器状に形成されている部分の内部に設けられている。ファンガードヒータ配線部６ｂは、ファンガード５の下方に位置しているファンガードヒータ加熱部６ａの端部に接続されているファンガードヒータ側配線６ｃと、ファンガードヒータ側配線６ｃの端部に取り付けられているファンガードヒータコネクタ部６ｄと、を有している。
【００３１】
なお、ファンガードヒータ６の構成や形状、大きさなどを特に限定するものではなく、ファンガード５に設置することができ、ファンガード５に付着した霜を融かすことができるようなものであればよい。
【００３２】
また、ファンガードヒータ配線部６ｂは、ファンガード５の下部に設けられる構成としている。具体的には、ファンカバー９の下方に配線穴９ｂを形成し、この配線穴９ｂにファンガードヒータ側配線６ｃを挿通させ、ファンガードヒータ配線部６ｂを、ファンガード５の筐体２側の下方に設けるようにしている。そのため、ファンガードヒータ加熱部６ａのファンガードヒータ側配線６ｃに接続される端部が、ファンガード５の容器状に形成されている部分の内部で筐体２側の下方に向かって延びるようになっている。図６に示すように、ファンガードヒータコネクタ部６ｄには接続配線７の接続配線コネクタ７ａが接続され、接続配線７を介してファンガードヒータ６に電力が供給されるようになっている。
【００３３】
［ユニットクーラ１の通常運転動作］
次に、ユニットクーラ１の動作について説明する。冷却対象空間の外部に設置されている熱源側ユニットに搭載されている圧縮機（図示せず）から圧縮された冷媒が吐出される。この吐出冷媒は、熱源側ユニットに搭載されている凝縮器に流入して放熱する。凝縮器で放熱した冷媒は、次に膨張弁で減圧される。膨張弁で減圧された冷媒が、筐体２に設置されている蒸発器に流入する。蒸発器には、筐体２に設置されているファンによって冷却対象空間の空気（以下、庫内空気と称する）が供給される。
【００３４】
蒸発器に流入した冷媒は、ファンにより供給される庫内空気と熱交換することにより、蒸発（気化）する。このとき、庫内空気は、冷却されることになる。ファンを運転することにより、庫内空気は、筐体２の吸込口２ａから筐体２内に吸い込まれ、蒸発器を通過する際に冷却されて、この冷却された空気が吹出口２ｂから筐体２の前方へ吹き出される。この空気は、ダンパケース１０が取り付けられている場合にはダンパケース吹出口１０ｂを介して冷却対象空間に供給され、ファンガード５が取り付けられている場合にはファンガード５を介して冷却対象空間に供給される。
【００３５】
このように、ユニットクーラ１は、外部に設置された冷凍機器と接続されることで冷凍サイクルを形成し、冷却対象空間を冷却するようになっている。なお、蒸発器で蒸発した冷媒は、その後、圧縮機へ戻る。
【００３６】
［ユニットクーラ１の霜取運転動作］
次に、ユニットクーラ１の霜取運転動作について説明する。まず、ユニットクーラ１にファンガード５が取り付けられている場合の霜取運転動作について説明する。
冷却対象空間を冷却している時、ファンガードヒータ６には通電されない。そのため、ファンガード５が加熱されない状態になっており、このファンガード５に蒸発器で冷却された吹き出し風があたることになる。このような状態が長時間継続すると、蒸発器のフィン（図示せず）やファンガード５には多量の霜が付着する。このため、一般的には、４〜６時間に一回の間隔で霜取運転を実施することが多い。
【００３７】
ユニットクーラ１は、通常の冷却運転から霜取運転に移行したとき、圧縮機からの吐出冷媒を、液配管に配置した、たとえば電磁弁（図示せず）で閉塞し、蒸発器への冷媒の供給を遮断すると同時にファンを停止する。ユニットクーラ１は、ファン停止後、ファンガードヒータ６への通電を開始する。ファンガードヒータ６は、通電が開始されることで発熱し、この熱により蒸発器のフィンに付着した霜およびファンガード５に付着した霜を融かしていく。
【００３８】
次に、ユニットクーラ１にダンパケース１０が取り付けられている場合の霜取運転動作について説明する。
冷却対象空間を冷却している時、ダンパヒータ４には通電されない。また、ダンパ３によってダンパケース吹出口１０ｂが開放されている。そのため、ダンパケース１０が加熱されない状態になっており、このダンパケース１０に蒸発器で冷却された吹き出し風があたることになる。このような状態が長時間継続すると、蒸発器のフィン（図示せず）やダンパケース１０には多量の霜が付着する。このため、上述したように、４〜６時間に一回の間隔で霜取運転を実施することが多い。
【００３９】
ユニットクーラ１は、通常の冷却運転から霜取運転に移行したとき、圧縮機からの吐出冷媒を、液配管に配置したたとえば電磁弁（図示せず）で閉塞し、蒸発器への冷媒の供給を遮断すると同時にファンを停止し、ダンパ３によってダンパケース吹出口１０ｂを閉塞する。ユニットクーラ１は、ファンを停止し、ダンパケース吹出口１０ｂを閉塞した後、ダンパヒータ４への通電を開始する。ダンパヒータ４は、通電が開始されることで発熱し、この熱により蒸発器のフィンに付着した霜およびダンパケース１０に付着した霜を融かしていく。
【００４０】
［ユニットクーラ１の奏する効果］
以上のように、ユニットクーラ１では、ダンパヒータ４の配線接続構造（ダンパヒータ配線部４ｂの構成）と、ファンガードヒータ６の配線接続構造（ファンガードヒータ配線部６ｂの構成）と、を同じにしている。こうすることで、ダンパケース１０を筐体２に設置する時に、ファンガード５及びファンガードヒータ６を取り外し、ダンパケース１０及びダンパヒータ４を、ファンガード５及びファンガードヒータ６と同じ接続方法にて筐体２に取り付けることができるようになる。したがって、ダンパヒータ４、ファンガードヒータ６の電力を確保するためにそれぞれに応じた工事が不要になり、ダンパヒータ４又はファンガードヒータ６の電力を確保する工事の作業を大幅に削減することが可能になる。
【００４１】
また、ファンガードヒータコネクタ部６ｄを接続配線コネクタ７ａから取り外すことで、ファンガードヒータ６との電気的接続を遮断することができる。そして、ファンガードヒータコネクタ部６ｄを取り外した接続配線コネクタ７ａにダンパヒータコネクタ部４ｄを取り付けることで、ダンパヒータ４との電気的接続が完了する。
【００４２】
さらに、ユニットクーラ１では、ダンパヒータ配線部４ｂ及びファンガードヒータ配線部６ｂをユニットクーラ１の下部になるように設置している。これにより、ドレンパン８を取り外すことで、ユニットクーラ１を吊った状態でも、作業者の届く位置でダンパヒータコネクタ部４ｄ又はファンガードヒータコネクタ部６ｄと接続配線コネクタ７ａとの接続を行うことができる。したがって、ダンパケース１０又はファンガード５を取り付ける際に、ユニットクーラ１を天井に吊った状態にて取り付けを行え、配線作業を簡単に行うことが可能になる。
【００４３】
なお、接続配線コネクタ７ａは、各ダンパヒータコネクタ部４ｄ、各ファンガードヒータコネクタ部６ｄの位置に届くように配置される配線構造としている。これにより、ダンパケース１０を複数取り付ける場合でも、隣のダンパヒータコネクタ部４ｄ、又は、隣のファンガードヒータコネクタ部６ｄに別の接続配線コネクタ７ａが取り付けられてしまうということがない。
【００４４】
実施の形態２．
図７は、本発明の実施の形態２に係るユニットクーラのコネクタ接続部を拡大して示す拡大図である。図７に基づいて、実施の形態２に係るユニットクーラのコネクタ接続部について説明する。実施の形態２に係るユニットクーラの基本構成は、実施の形態１に係るユニットクーラ１と同様である。なお、この実施の形態２では、実施の形態１と同一部分には同一符号を付し、実施の形態１との相違点を中心に説明するものとする。
【００４５】
実施の形態２に係るユニットクーラは、ファンカバー９に排水穴９ａを形成している点で実施の形態１に係るユニットクーラ１と相違している。実施の形態２に係るユニットクーラの排水穴９ａの他の構成については、実施の形態１に係るユニットクーラ１と同様である。
【００４６】
図７に示すように、実施の形態２に係るユニットクーラでは、ダンパヒータ４（ファンガードヒータ６）のダンパヒータコネクタ部４ｄ（ファンガードヒータコネクタ部６ｄ）の下方となる位置に水の抜き穴となる排水穴９ａをファンカバー９に形成している。
【００４７】
以上のように、実施の形態２に係るユニットクーラでは、ファンカバー９に排水穴９ａを形成した構成としているため、ドレンパン８が詰まるなどし、ドレンパン８内にドレン水が溜まってしまった場合にも、排水穴９ａを介して外部に排水することができる。そのため、ダンパヒータコネクタ部４ｄ（ファンガードヒータコネクタ部６ｄ）がドレン水に水没してしまうことを防ぐことができる。
【００４８】
なお、ファンカバー９に排水穴９ａを設けた場合を例に説明したが、ドレンパン８の立ちあがり部に排水穴を形成するようにしてもよいし、双方に排水穴を形成してもよい。
【００４９】
実施の形態３．
図８は、本発明の実施の形態３に係る冷却装置Ａの冷媒回路構成を示す概略構成図である。図８に基づいて、冷却装置Ａの構成及び動作について説明する。この冷却装置Ａは、実施の形態１又は２に係るユニットクーラを搭載したものである。この冷却装置Ａは、冷凍サイクル（冷媒回路）を使用した機器であればよく、たとえば、冷凍庫、冷蔵庫等に適用されるものである。なお、ここでは、実施の形態１に係るユニットクーラ１が搭載されているものとして説明する。
【００５０】
この冷却装置Ａは、圧縮機５１と、凝縮器５２と、膨張機構５３と、蒸発器５４と、を冷媒配管５５で順次接続して構成される蒸気圧縮式冷凍サイクルを備えている。圧縮機５１は、冷媒を吸入し、その冷媒を圧縮して高温・高圧の状態とするものである。凝縮器５２は、冷媒配管５５を導通する冷媒と流体（空気や水、冷媒等）との間で熱交換を行なうものである。膨張機構５３は、冷媒を減圧して膨張させるものである。蒸発器５４は、冷媒配管５５を導通する冷媒と空気との間で熱交換を行なうものである。この蒸発器５４が、ユニットクーラ１に搭載されている。また、蒸発器５４にはファン５６が付設されている。ファン５６は、蒸発器５４に空気（庫内空気）を供給し、熱交換された空気を冷却対象空間に吹き出すものである。
【００５１】
実施の形態１で説明したように、ユニットクーラ１には、蒸発器５４及びファン５６が搭載されている。また、圧縮機５１、凝縮器５２、及び、膨張機構５３は、熱源側ユニット５０に搭載されている。なお、膨張機構５３をユニットクーラ１に搭載するようにしてもよい。
【００５２】
ここで、冷却装置Ａの動作について簡単に説明する。
圧縮機５１で圧縮されて高温・高圧となった冷媒は、凝縮器５２に流入する。この凝縮器５２では、冷媒が流体と熱交換して凝縮し、低温・高圧の液冷媒又は気液二相冷媒となる。凝縮器５２から流出した冷媒は、膨張機構５３で減圧され、低温・低圧の液冷媒又は気液二相冷媒となって蒸発器５４に流入する。蒸発器５４では、冷媒が流体と熱交換して蒸発し、高温・低圧の冷媒ガスとなり、圧縮機５１に再度吸入される。
【００５３】
以上のように、冷却装置Ａによれば、ユニットクーラ１を搭載しているので、ダンパケース１０又はファンガード５を筐体２に設置する時に、ダンパヒータ４又はファンガードヒータ６の電力を確保する工事の作業を大幅に削減することが可能になる。また、冷却装置Ａによれば、ダンパケース１０又はファンガード５を取り付ける際に、ユニットクーラ１を天井に吊った状態にて取り付けを行え、配線作業を簡単に行うことが可能になる。
【符号の説明】
【００５４】
１  ユニットクーラ、２  筐体、２ａ  吸込口、２ｂ  吹出口、３  ダンパ、４  ダンパヒータ、４ａ  ダンパヒータ加熱部、４ｂ  ダンパヒータ配線部、４ｃ  ダンパヒータ側配線、４ｄ  ダンパヒータコネクタ部、５  ファンガード、６  ファンガードヒータ、６ａ  ファンガードヒータ加熱部、６ｂ  ファンガードヒータ配線部、６ｃ  ファンガードヒータ側配線、６ｄ  ファンガードヒータコネクタ部、７  接続配線、７ａ  接続配線コネクタ、８  ドレンパン、９  ファンカバー、９ａ  排水穴、９ｂ  配線穴、１０  ダンパケース、１０ａ  ダンパケース吸込口、１０ｂ  ダンパケース吹出口、１０ｃ  傾斜面、１３  吊り下げ具、１４  接続口、５０  熱源側ユニット、５１  圧縮機、５２  凝縮器、５３  膨張機構、５４  蒸発器、５５  冷媒配管、５６  ファン、Ａ  冷却装置。
【図１】
2014238242.tif 000003
【図２】
2014238242.tif 000004
【図３】
2014238242.tif 000005
【図４】
2014238242.tif 000006
【図５】
2014238242.tif 000007
【図６】
2014238242.tif 000008
【図７】
2014238242.tif 000009
【図８】
2014238242.tif 000010